(57)【特許請求の範囲】
【請求項１】
ノンリニアアクセス可能な記録媒体を用いてデータの記録及び／または再生を行う記録再生手段と、
外部からデータを入力して前記記録再生手段に転送する少なくとも１つの入力部と、前記記録再生手段から転送されたデータを外部に出力する少なくとも１つの出力部とを有し、前記入力部及び前記出力部の総数は３以上であり、前記入力部及び前記出力部はそれぞれ割り当てられたタイムスロット内に前記記録再生手段との間での前記転送を行う入出力処理手段と、
第１の選択部及び分割表示処理部と、前記第１の選択部及び前記分割表示処理部の出力データが入力される第２の選択部と、制御部とを有する１つのモニター用出力手段と、
前記モニター用出力手段の前記第２の選択部の出力データを外部に出力するための１つのモニター出力端子と
を備え、
各々の前記入力部，前記出力部は、それぞれ入力中，出力中のデータにモニター用情報を付加して前記モニター用出力手段の前記第１の選択部及び前記分割表示処理部に入力させ、
前記モニター用出力手段の前記制御部は、
前記入力部及び前記出力部のうちのいずれか１つを指定したことを示す信号が与えられた場合、該指定された１つの入力部または出力部からのデータを前記第１の選択部に選択させ、かつ、前記第１の選択部の出力データを前記第２の選択部に選択させる処理と、
前記入力部及び前記出力部のうちのいずれか２つを指定したことを示す信号が与えられた場合、該指定された２つの入力部及び／または出力部からのデータをモニターの１画面に分割して表示させるための処理を前記分割表示処理部に行わせ、かつ、前記分割表示処理部の出力データを前記第２の選択部に選択させる処理と、
前記入力部及び前記出力部の全てを指定したことを示す信号が与えられた場合、全ての前記入力部及び前記出力部からのデータをモニターの１画面に分割して表示させるための処理を前記分割表示処理部に行わせ、かつ、前記分割表示処理部の出力データを前記第２の選択部に選択させる処理と
を行うことを特徴とするデータ記録再生装置。
【請求項２】
請求項１に記載のデータ記録再生装置において、
前記入力部及び前記出力部のうちの１つ、２つまたは全てを任意に指定するための操作手段
をさらに備え、
前記操作手段での指定結果を示す信号が前記モニター用出力手段の前記制御部に与えられる
ことを特徴とするデータ記録再生装置。
【請求項３】
請求項１に記載のデータ記録再生装置において、
前記モニター用情報は、タイムコードを含む
ことを特徴とするデータ記録再生装置。
【請求項４】
請求項１に記載のデータ記録再生装置において、
前記モニター用情報は、前記入力部，前記出力部の動作モードを示すキャラクター情報を含む
ことを特徴とするデータ記録再生装置。
【請求項５】
請求項１に記載のデータ記録再生装置において、
前記モニター用情報は、前記入力部，前記出力部の番号を示す情報を含む
ことを特徴とするデータ記録再生装置。
【請求項６】
請求項１に記載のデータ記録再生装置において、
前記記録再生手段に記録されているデータのファイル名を管理するファイルシステム
をさらに備え、
前記モニター用情報は、前記入力部，前記出力部が入出力するデータについて前記ファイルシステムで管理されているファイル名を示すキャラクター情報を含む
ことを特徴とするデータ記録再生装置。
【請求項７】
ノンリニアアクセス可能な記録媒体を用いてデータの記録及び／または再生を行う記録再生手段と、
外部からデータを入力して前記記録再生手段に転送する少なくとも１つの入力部と、前記記録再生手段から転送されたデータを外部に出力する少なくとも１つの出力部とを有し、前記入力部及び前記出力部の総数は３以上であり、前記入力部及び前記出力部はそれぞれ割り当てられたタイムスロット内に前記記録再生手段との間での前記転送を行う入出力処理手段と、
第１の選択部及び分割表示処理部と、前記第１の選択部及び前記分割表示処理部の出力データが入力される第２の選択部と、制御部とを有する１つのモニター用出力手段と、
前記モニター用出力手段の前記第２の選択部の出力データを外部に出力するための１つのモニター出力端子と
を備えたデータ記録再生装置から、モニター用情報を付加したデータを出力する方法において、
各々の前記入力部，前記出力部が、それぞれ入力中，出力中のデータにモニター用情報を付加して前記モニター用出力手段の前記第１の選択部及び前記分割表示処理部に入力させる第１ステップと、
前記モニター用出力手段の前記制御部が、前記入力部及び前記出力部のうちのいずれか１つを指定したことを示す信号が与えられた場合、該指定された１つの入力部または出力部からのデータを前記第１の選択部に選択させ、かつ、前記第１の選択部の出力データを前記第２の選択部に選択させ、他方、前記入力部及び前記出力部のうちのいずれか２つを指定したことを示す信号が与えられた場合、該指定された２つの入力部及び／または出力部からのデータをモニターの１画面に分割して表示させるための処理を前記分割表示処理部に行わせ、かつ、前記分割表示処理部の出力データを前記第２の選択部に選択させ、他方、前記入力部及び前記出力部の全てを指定したことを示す信号が与えられた場合、全ての前記入力部及び前記出力部からのデータをモニターの１画面に分割して表示させるための処理を前記分割表示処理部に行わせ、かつ、前記分割表示処理部の出力データを前記第２の選択部に選択させる第２ステップと、
を有することを特徴とするデータ記録再生装置におけるモニター用情報を付加したデータの出力方法。
【請求項８】
請求項７に記載のデータ記録再生装置におけるモニター用情報を付加したデータの出力方法において、
前記データ記録再生装置は、前記入力部及び前記出力部のうちの１つ、２つまたは全てを任意に指定するための操作手段
をさらに備え、
前記第２ステップでは、前記操作手段での指定結果を示す信号を前記モニター用出力手段の前記制御部に与える
ことを特徴とするデータ記録再生装置におけるモニター用情報を付加したデータの出力方法。
【発明の詳細な説明】
【０００１】
【発明の属する技術分野】
本発明は、例えばＡＶサーバのような、複数の入出力ポートを有するデータ記録再生装置に関し、特に、モニター出力端子の数の節減を図ったものに関する。また本発明は、こうしたデータ記録再生装置における、このモニター用情報を付加したデータの出力方法に関する。
【０００２】
【従来の技術】
近年、ＣＡＴＶ（ケーブルテレビ）等の普及による情報提供の多チャンネル化に伴い、従来のＶＴＲ（ビデオテープレコーダ）とは異なり、１台の映像・音声データ記録再生装置で複数の映像・音声データ（以下「ＡＶデータ」と呼ぶ）を同時に記録したり、再生したり、さらには記録しながら再生したり等の要求が高まりつつある。そして、この要求を満たすためにハードディスク等のランダムアクセス可能な記録媒体を用いて映像・音声を記録再生するビデオサーバ（またはＡＶ（Ａｕｄｉｏ    ａｎｄ／ｏｒ  Ｖｉｄｅｏ）サーバとも呼ばれる）と呼ばれる装置が普及しつつある。
【０００３】
一般的に、放送局内におけるＡＶサーバは、画質や音質に対する要求から、必要とされるデータの転送レートが高い上に長時間のデータを記録するために大容量である必要がある。そこで、ＡＶデータを蓄積するとともに並列処理が可能な複数のハードディスク（以下「ＨＤ」と呼ぶ）装置を含むデータ記録再生装置を用いることによりデータの転送レートの高速化と大容量化を図る試みや、さらにパリティデータを記録しておくことにより、万一いずれかのＨＤ装置が故障しても信頼性を確保できるようにする試みがなされている。
【０００４】
これにより、放送局が提供しようとしている番組の内容や放送形態により要求されているチャンネル数が異なる場合であっても、複数のＡＶデータからなる素材データを分散的に記録しておき多チャンネル送出を同時に行ったり、同一の素材データを再生時間をずらして多チャンネルで再生することにより、ＶＯＤ（ビデオオンデマンド）やＮＶＯＤ（ニアビデオオンデマンド）等のシステムを構築する等、多様な使用形態に対応することのできるマルチチャンネルＡＶサーバを実現することができる。
【０００５】
このようなＡＶサーバに用いられるデータ記録再生装置には、１９８８年Ｐａｔｔｅｒｓｏｎ等によって発表された論文（‘A Case for Redundant Arrays of Inexpensive Disks（RAID）’, ACM SIGMOND Conference, Chicago, III, Jun.1-3,1988. ）に提唱されている複数のＨＤからなるハードディスクドライブ（以下「ＨＤＤ」と呼ぶ）をさらに複数台用いて構成されたＲＡＩＤ（Redundant Arra  ys of Inexpensive Disks ）技術が用いられている。
【０００６】
上記論文の中でＲＡＩＤは、ＲＡＩＤ−１からＲＡＩＤ−５まで５つに分類されている。ＲＡＩＤ−１は２つのＨＤＤに同じ内容を書き込む方式である。ＲＡＩＤ−３は、入力データを一定の長さに分割して複数のＨＤＤに記録するとともに、各ＨＤＤの互いに対応するデータブロックの排他的論理和であるパリティデータを生成して他の１台のＨＤＤに書き込む方式である。さらにＲＡＩＤ−５は、データの分割単位（ブロック）を大きくして、１つの分割データをデータブロックとして１つのＨＤＤに記録するとともに、各ＨＤＤの互いに対応するデータブロックの排他的論理和をとった結果（パリティデータ）をパリティブロックとして他のＨＤＤに記録するとともにパリティブロックを他のＨＤＤに分散する方式である。
その他のＲＡＩＤについては上記論文を参照されたい。
【０００７】
このＡＶサーバで複数のＡＶデータの同時記録・再生を行うためには、複数のチャンネルで同時にＡＶデータの入出力を行う必要がある。そこで、ＡＶサーバには、互いに独立して動作する複数の入出力ポートが設けられており、１つの入力ポート，出力ポートがそれぞれ１チャンネル分の入力，出力を行うようになっている。
【０００８】
しかし、各入出力ポートがＨＤＤとの間で全く同時にＡＶデータの授受を行うと、ＡＶサーバ内部で各入出力ポートとＨＤＤとを接続しているバスにそれらのＡＶデータが同時に流れることになるので、処理しきれなくなる。そこで、各入出力ポートに、バスの使用を許可するタイムスロット（＝時間間隔）を順番に割り当て、各入出力ポートが、それぞれ割り当てられたタイムスロット内でのみバスを介してＨＤＤとの間でＡＶデータの授受を行うようになっている。したがって、厳密にいえば複数のＡＶデータが同時に記録・再生されているわけではないが、タイムスロットよりも長い時間間隔でみると、複数のＡＶデータの同時記録・再生が実現されているといってよい。
【０００９】
ところで、放送局内でこうしたＡＶサーバを用いる場合には、現在どのようなＡＶデータがＡＶサーバで記録・再生されているか（すなわち各入出力ポートで現在どのようなＡＶデータが入出力されているか）を、モニターで随時確認できるようになっていることが必要である。
【００１０】
そのため、通常ＡＶサーバには、各入出力ポートで現在入出力しているＡＶデータに、タイムコードや、動作モード（記録中なのか再生中なのか）を示す文字等のキャラクター情報等を付加して出力する機能が備わっている。
なお、本明細書では、このタイムコードやキャラクター情報等のようにＡＶデータをモニターに表示する際にそのＡＶデータ用に付加する情報のことを「モニター用情報」と総称することにする。
【００１１】
従来こうしたモニター用情報を付加したＡＶデータを出力する機能を備えたＡＶサーバでは、各入出力ポートについてのモニター用情報を付加したＡＶデータを、それぞれの入出力ポートからＡＶサーバの外部に出力するようになっていた。
図４は、こうした機能を備えた従来のＡＶサーバからモニター用情報を付加したＡＶデータが出力される様子を、１入力ポート３出力ポートのＡＶサーバを例にとって示すものである。
【００１２】
入力ポート４２は、このＡＶサーバ４１の外部からの制御信号により動作の開始が指示されると、ＡＶサーバ４１の外部から入力されたＡＶデータに、所定の処理（例えば圧縮等）を施す。そして、タイムスロット信号により入力ポート４２に割り当てられたタイムスロット内に、そのＡＶデータに、制御器４７から制御バス５０を介して伝えられた記録再生部４６内の空き領域を示すコマンドを付加して、下りバス４８を介して記録再生部４６に転送する。
記録再生部４６は、ＲＡＩＤ技術を用いて構成されたＨＤＤを含んでいる。
【００１３】
また、入力ポート４２は、入力されたＡＶデータにモニター用情報を付加して出力する。ＡＶサーバ４１には、入力ポート４２に対応して専用のモニター出力端子Ｍ１が設けられており、入力ポート４２でモニター用情報を付加されたＡＶデータ（図ではモニター用データと表記）は、このモニター出力端子Ｍ１を通してＡＶサーバ４１の外部に出力される。
【００１４】
他方、各出力ポート４３，４４，４５は、ＡＶサーバ４１の外部からの制御信号により動作の開始が指示されると、タイムスロット信号により当該出力ポートに割り当てられたタイムスロット内に、制御器４８から制御バス５０を介して伝えられた記録再生部４６内の記憶領域（ＡＶサーバ４１の外部からの制御信号により指定された出力対象のＡＶデータの記録再生部４６内での記録領域）を示すコマンドを、下りバス４８を介して記録再生部４６に送る。そして、このコマンドに基づいて記録再生部４６から再生されたＡＶデータを、タイムスロット信号により当該出力ポートに割り当てられたタイムスロット内に、上りバス４９を介して取り込む。そして、そのＡＶデータを、所定の処理（例えば伸長等）を施した後ＡＶサーバ４１の外部に出力する。
【００１５】
また、出力ポート４３，４４，４５は、この所定の処理を施したＡＶデータにそれぞれモニター用情報を付加して出力する。ＡＶサーバ４１には、各出力ポート４３，４４，４５にそれぞれ対応する専用のモニター出力端子Ｍ２，Ｍ３，Ｍ４も設けられており、出力ポート４３，４４，４５でモニター用情報を付加されたＡＶデータは、それぞれこのモニター出力端子Ｍ２，Ｍ３，Ｍ４を通してＡＶサーバ４１の外部に出力される。
【００１６】
【発明が解決しようとする課題】
しかし、こうした従来のＡＶサーバでは、各入出力ポートに対応した専用のモニター出力端子（図４の例では４つのモニター出力端子Ｍ１〜Ｍ４）を設けることになるので、入出力ポート数と同じ数のモニター出力端子が必要になる。
その結果、入出力ポート数が多くなるにつれてＡＶサーバのパネル上でモニター出力端子が占める面積が広くなるので、入出力ポート数の多いＡＶサーバでは、パネルの面積を広くするために、ＡＶサーバそのものを大型化しなければならなくなるという不都合があった。
【００１７】
また、こうした従来のＡＶサーバを用いる場合に、各入出力ポートで現在入出力されているＡＶデータをモニターで随時確認できるようにするためには、図４にも示しているように、放送局内に、各モニター出力端子Ｍ１，Ｍ２，Ｍ３，Ｍ４から出力されたＡＶデータをそれぞれ表示するための専用のモニター５１，５２，５３，５４を設置しなければならない。
その結果、入出力ポート数が多いＡＶサーバを用いると、多数のモニターを設置しなければならなくなるので、放送局内でこれらのモニターが大きなスペースを占めてしまうという不都合があった。
【００１８】
しかも、各入出力ポートは、制御信号により動作の開始が指示されたときにだけ動作するので、常に複数の入出力ポートの全てが動作しているわけではない。記録すべき新たなＡＶデータがないときには、入力ポートには動作の開始が指示されないし、再生すべきＡＶデータが少ないときには、一部の出力ポートにしか動作の開始が指示されないことがある。
したがって、実際には、複数の入出力ポートのうちの一部だけしか動作しない時間もかなり存在するので、従来のように入出力ポート数と同じ数のモニター出力端子を設けることには無駄が多いという不都合もあった。
【００１９】
本発明は、上述の点に鑑み、従来のように入出力ポート数と同じ数のモニター出力端子を設けることなく、各入出力ポートで現在入出力されているＡＶデータをモニターで随時確認できるようにすることを課題としてなされたものである。
【００２０】
【課題を解決するための手段】
この課題を解決するために、本出願人は、請求項１に記載のように、ノンリニアアクセス可能な記録媒体を用いてデータの記録及び／または再生を行う記録再生手段と、外部からデータを入力して記録再生手段に転送する少なくとも１つの入力部と記録再生手段から転送されたデータを外部に出力する少なくとも１つの出力部とを有しており、入力部及び出力部の総数は３以上であり、これらの入力部及び出力部がそれぞれ割り当てられたタイムスロット内に記録再生手段との間でのデータ転送を行う入出力処理手段と、第１の選択部及び分割表示処理部と、この第１の選択部及び分割表示処理部の出力データが入力される第２の選択部と、制御部とを有する１つのモニター用出力手段と、このモニター用出力手段の第２の選択部の出力データを外部に出力するための１つのモニター出力端子とを備え、各入力部，出力部は、それぞれ入力中，出力中のデータにモニター用情報を付加してモニター用出力手段の第１の選択部及び分割表示処理部に入力させ、モニター用出力手段の制御部は、入力部及び出力部のうちのいずれか１つを指定したことを示す信号が与えられた場合、その指定された１つの入力部または出力部からのデータを第１の選択部に選択させ、かつ、第１の選択部の出力データを第２の選択部に選択させる処理と、入力部及び出力部のうちのいずれか２つを指定したことを示す信号が与えられた場合、その指定された２つの入力部及び／または出力部からのデータをモニターの１画面に分割して表示させるための処理を分割表示処理部に行わせ、かつ、分割表示処理部の出力データを第２の選択部に選択させる処理と、入力部及び出力部の全てを指定したことを示す信号が与えられた場合、全ての入力部及び出力部からのデータをモニターの１画面に分割して表示させるための処理を分割表示処理部に行わせ、かつ、分割表示処理部の出力データを第２の選択部に選択させる処理とを行うデータ記録再生装置を提案する。
【００２１】
このデータ記録再生装置では、入出力処理手段の各入力部，出力部から、モニター用情報を付加したデータがモニター用出力手段に入力される。
モニター用出力手段では、入力部及び出力部のうちのいずれか１つを指定したことを示す信号が与えられた場合、その指定された１つの入力部または出力部からのデータが選択される。そして、その選択されたデータが１つのモニター出力端子から外部に出力されるので、その１つの入力部または出力部についてのモニター用情報を付加したデータをモニターの画面全体に表示させて確認することができる。
他方、モニター用出力手段では、入力部及び出力部のうちのいずれか２つを指定したことを示す信号が与えられた場合、その指定された２つの入力部及び／または出力部からのデータをモニターの１画面に分割して表示させるための処理が行われる。そして、その処理を行われたデータが１つのモニター出力端子から外部に出力されるので、その２つの入力部及び／または出力部についてのモニター用情報を付加したデータをモニターの１画面に同時に表示させて確認することができる。また、任意の２つの入力部及び／または出力部についてのモニター用情報を付加したデータを、順番に切り替えてモニターに表示させて確認することもできる。
他方、モニター用出力手段では、入力部及び出力部の全てを指定したことを示す信号が与えられた場合、全ての入力部及び出力部からのデータをモニターの１画面に分割して表示させるための処理が行われる。そして、その処理を行われたデータが１つのモニター出力端子から外部に出力されるので、全ての入力部及び出力部についてのモニター用情報を付加したデータをモニターの１画面に同時に表示させて確認することができる。
【００２２】
これにより、２以上の入力部及び／または出力部についてのモニター用情報を付加したデータを、従来のＡＶサーバのようにそれぞれの入力部や出力部から別々に外部に出力するのではなく、モニターの１画面に表示される１系統のデータとしてデータ記録再生装置の外部に出力することができる。
したがって、入力部及び出力部の数と同じ数のモニター出力端子をこのデータ記録再生装置に設けなくても、各入力部及び出力部で現在入出力されているデータをモニターで随時確認することができるようになる。
【００２３】
なお、請求項１に記載のデータ記録再生装置において、一例として、請求項２に記載のように、入力部及び出力部のうちの１つ、２つまたは全てを任意に指定するための操作手段をさらに備え、この操作手段での指定結果を示す信号がモニター用出力手段の制御部に与えられるようにすることが好適である。
【００２８】
また、請求項１に記載のデータ記録再生装置において、モニター用情報には、一例として、請求項３乃至６に記載のように、タイムコードや、動作モード（記録中なのか再生中なのか）を示すキャラクター情報や、当該入力部，出力部の番号を示す情報や、当該入力部，出力部が入出力するデータについてファイルシステムで管理されているファイル名を示すキャラクター情報を含めることが好適である。
【００２９】
次に、本出願人は、請求項７に記載のように、ノンリニアアクセス可能な記録媒体を用いてデータの記録及び／または再生を行う記録再生手段と、外部からデータを入力して記録再生手段に転送する少なくとも１つの入力部と記録再生手段から転送されたデータを外部に出力する少なくとも１つの出力部とを有しており、入力部及び出力部の総数は３以上であり、これらの入力部及び出力部がそれぞれ割り当てられたタイムスロット内に記録再生手段との間でのデータ転送を行う入出力処理手段と、第１の選択部及び分割表示処理部と、この第１の選択部及び分割表示処理部の出力データが入力される第２の選択部と、制御部とを有する１つのモニター用出力手段と、このモニター用出力手段の第２の選択部の出力データを外部に出力するための１つのモニター出力端子とを備えたデータ記録再生装置から、モニター用情報を付加したデータを出力する方法において、各入力部，出力部が、それぞれ入力中，出力中のデータにモニター用情報を付加してモニター用出力手段の第１の選択部及び分割表示処理部に入力させる第１ステップと、モニター用出力手段の制御部が、入力部及び出力部のうちのいずれか１つを指定したことを示す信号が与えられた場合、その指定された１つの入力部または出力部からのデータを第１の選択部に選択させ、かつ、第１の選択部の出力データを第２の選択部に選択させ、他方、入力部及び出力部のうちのいずれか２つを指定したことを示す信号が与えられた場合、その指定された２つの入力部及び／または出力部からのデータをモニターの１画面に分割して表示させるための処理を分割表示処理部に行わせ、かつ、分割表示処理部の出力データを第２の選択部に選択させる、他方、入力部及び出力部の全てを指定したことを示す信号が与えられた場合、全ての入力部及び出力部からのデータをモニターの１画面に分割して表示させるための処理を分割表示処理部に行わせ、かつ、分割表示処理部の出力データを第２の選択部に選択させる第２ステップとを有するものを提案する。
【００３０】
この方法によれば、入出力処理手段の各入力部，出力部から、モニター用情報を付加したデータがモニター用出力手段に入力される。
モニター用出力手段では、入力部及び出力部のうちのいずれか１つを指定したことを示す信号が与えられた場合、その指定された１つの入力部または出力部からのデータが選択される。そして、その選択されたデータが１つのモニター出力端子から外部に出力されるので、その１つの入力部または出力部についてのモニター用情報を付加したデータをモニターの画面全体に表示させて確認することができる。
他方、モニター用出力手段では、入力部及び出力部のうちのいずれか２つを指定したことを示す信号が与えられた場合、その指定された２つの入力部及び／または出力部からのデータをモニターの１画面に分割して表示させるための処理が行われる。そして、その処理を行われたデータが１つのモニター出力端子から外部に出力されるので、その２つの入力部及び／または出力部についてのモニター用情報を付加したデータをモニターの１画面に同時に表示させて確認することができる。また、任意の２つの入力部及び／または出力部についてのモニター用情報を付加したデータを、順番に切り替えてモニターに表示させて確認することもできる。
他方、モニター用出力手段では、入力部及び出力部の全てを指定したことを示す信号が与えられた場合、全ての入力部及び出力部からのデータをモニターの１画面に分割して表示させるための処理が行われる。そして、その処理を行われたデータが１つのモニター出力端子から外部に出力されるので、全ての入力部及び出力部についてのモニター用情報を付加したデータをモニターの１画面に同時に表示させて確認することができる。
これにより、請求項１に記載のデータ記録再生装置におけるのと同様に、２以上の入力部及び／または出力部についてのモニター用情報を付加したデータを、モニターの１画面に表示される１系統のデータとしてデータ記録再生装置の外部に出力することができるので、入力部及び出力部の数と同じ数のモニター出力端子をこのデータ記録再生装置に設けなくても、各入力部及び出力部で現在入出力されているデータをモニターで随時確認することができるようになる。
【００３６】
【発明の実施の形態】
以下では、本発明をＡＶサーバに適用した例について説明する。
図１は、本発明を適用した１入力ポート３出力ポートのＡＶサーバの全体構成を示す。
このＡＶサーバ１には、モニター用出力部２と、入力ポート９と、出力ポート１０，１１，１２と、記録再生部１３と、タイミング管理部１４と、ファイルシステム１５と、制御器１６とが設けられている。
また、このＡＶサーバ１のパネル上には、モニター出力端子としては１つの端子Ｍだけが設けられるとともに、操作スイッチ７が設けられている。
【００３７】
各ポート９，１０，１１，１２は、それぞれ下りバス１７及び上りバス１８を介して記録再生部１３と接続されている。また、各ポート９，１０，１１，１２は、それぞれ制御バス１９を介して制御器１６と接続されている。
【００３８】
入力ポート９は、圧縮器９Ａと、バッファメモリ９Ｂと、ミキシング回路９Ｃと、制御器９Ｄとから成っている。
圧縮器９Ａ及びミキシング回路９Ｃには、ＡＶサーバ１の外部の機器（例えば、ＶＴＲや、ネットワークを介して接続された機器）から、ＡＶデータ（例えばＳＤＩ（Serial Digital Interface：ＳＭＰＴＥ−２５９Ｍとして規格化されている）やＳＤＴＩ（Serial Digital Transfer Interface ：ＳＭＰＴＥ−３０５Ｍとして規格化されている）、さらには非同期伝送フォーマットであるＡＴＭ（As  ynchronous Transfer Mode）ファイバチャンネル（Fibre Channel ）等）が入力端子Ｄ１を通して入力される。
【００３９】
制御器９Ｄには、ＡＶサーバ１の外部から、入力ポート９の動作を指示する制御信号が入力端子Ｃ１を通して与えられる（例えば、ホストコンピュータから、シリアルインターフェースの標準規格であるＲＳ−４２２に従った制御信号が与えられる）。
【００４０】
圧縮器９Ａは、ＡＶデータを所定の符号化方式（例えばＭＰＥＧ）で圧縮するものである。この圧縮器９Ａで圧縮されたＡＶデータは、バッファメモリ９Ｂに送られる。なお、図１に示す構成ではＡＶデータを圧縮器９Ａで圧縮しているが、ＡＶデータを非圧縮のままバッファメモリ９Ｂに送ってもよい。
【００４１】
ミキシング回路９Ｃは、入力されたＡＶデータに、時，分，秒及びフレームを表すＳＭＰＴＥタイムコードや、現在入力ポート９を用いてＡＶデータを記録中であることを表すＲＥＣの文字（すなわち動作モードを示す文字）等のキャラクター情報等のモニター用情報をミキシングするものである。
【００４２】
制御器９Ｄは、入力ポート９全体を制御するものであり、例えばマイクロプロセッサから成っている。制御器９Ｄは、動作の開始を指示する制御信号が与えられると、ミキシング回路９Ｃでのミキシングを開始させると共に、圧縮器９Ａからバッファメモリ９Ｂに送られたＡＶデータをバッファメモリ９Ｂに一時的に記憶させる。
ミキシング回路９Ｃでモニター用情報を付加されたＡＶデータは、入力ポート９からモニター用出力部２に送られる。
【００４３】
制御器９Ｄには、タイミング管理部１４からタイムスロット信号が与えられている。このタイムスロット信号は、下りバス１７及び上りバス１８の使用を許可するタイムスロット（所定フレーム分の時間間隔）を、入力ポート９，出力ポート１０，１１，１２に１つずつ順番に繰り返し割り当てる信号である。
タイミング管理部１４は、ＡＶサーバ１の外部から入力端子Ｒを通して供給される基準ビデオ信号（ＲＥＦ信号）に基づいてこのタイムスロット信号を生成する。
【００４４】
また、入力ポート９の動作時には、制御器１６により、記録再生部１３内の空き領域を示す情報がファイルシステム１５から取得される。そして、その空き領域を伝える信号が、制御器１６から制御バス１９を介して制御器９Ｄに送られる。
【００４５】
制御器１６は、ＡＶサーバ１の全体を制御するものであり、例えばマイクロプロセッサから成っている。
ファイルシステム１５は、記録再生部１３に現在記録されているＡＶデータのファイル名と、記録再生部１３内でそのファイル名のＡＶデータが記録されている領域のアドレスとを対応させて管理すると共に、記録再生部１３の現在の空き領域のアドレスを管理するものであり、それらの管理情報（ファイルシステム情報）を作成する制御回路（例えばＣＰＵ）と、この制御回路で作成されたファイルシステム情報を記憶する記憶回路（例えばＲＡＭ）とを含んでいる。
【００４６】
ファイルシステム１５で作成されるファイルシステム情報は、ファイルエントリと、レコードエントリと、フリースペースリストとの３つに大別される。
このうち、ファイルエントリは、各ファイルについて１つ作成されるものであり、ファイル名と、そのファイルについての最初のレコードエントリの先頭位置のアドレスへのポインタ情報（すなわち最初のレコードエントリへのリンク情報）とが書き込まれる。
【００４７】
レコードエントリは、記録再生部１３内のＨＤ上で１つのファイルが記録されている連続領域毎に作成される。１つのファイルは、ＨＤ上の空き領域の長さ及び場所の都合でＨＤ上の互いに離れた複数の連続領域に飛び飛びに記録されることが多いので、通常はレコードエントリも複数作成される。
最初の連続記録についてのレコードエントリには、その連続領域の先頭位置のアドレス（すなわちＨＤ上のそのファイルの最初の記録位置のアドレス）を示す先頭位置データと、先頭位置からそのファイルどれだけの長さ連続して記録されているかを示すデータと、次のレコードエントリの先頭位置のアドレスへのポインタ情報（すなわち次のレコードエントリへのリンク情報）とが書き込まれる。
【００４８】
２番目以降の連続記録についてのレコードエントリにも、その連続領域の先頭位置のアドレスを示す先頭位置データと、先頭位置からそのファイルがどれだけの長さ連続して記録されているかを示すデータと、次のレコードエントリの先頭位置のアドレスへのポインタ情報とが書き込まれる。そして、最後のレコードエントリには、このポインタ情報に代えて、その連続領域でファイルの記録が終了していることを示すデータが書き込まれる。
【００４９】
フリースペースリストは、記録再生部１３内のＨＤ上のデータが未記録の空き領域を示すためのものであり、個々の空き領域毎に作成される。各フリースペースリストには、空き領域の先頭位置のアドレスを示す先頭位置データと、先頭位置からどれだけの長さのデータを書き込める空き領域が連続して存在しているかを示すデータと、次のフリースペースリストの先頭位置のアドレスへのポインタ情報（すなわち次のフリースペースリストへのリンク情報）とが書き込まれる。
【００５０】
入力ポート９の制御器９Ｄは、タイムスロット信号により入力ポート９に割り当てられたタイムスロット内に、それまでバッファメモリ９Ｂに記憶させていたＡＶデータを、バッファメモリ９Ｂから読み出す。そして、このＡＶデータに、制御器１６から伝えられた記録再生部１３内の空き領域へのＡＶデータの書込みを指示するコマンドを付加して、下りバス１７を介して記録再生部１３に転送する。
【００５１】
図２は、記録再生部１３の構成例を示す。
記録再生部１３は、ＲＡＩＤ技術を用いて構築されたものであり、映像データ記録用の複数台のＨＤＤ２１と、これらのＨＤＤ２１を制御するディスクアレイコントローラ２２と、音声データ記録用の複数台のＨＤＤ２３と、これらのＨＤＤ２３を制御するディスクアレイコントローラ２４と、バッファメモリ２５とを含んでいる。
【００５２】
ディスクアレイコントローラ２２は、例えばＲＡＩＤ−３を採用したものであり、ＡＶデータに付加された書込み指示のコマンドに基づき、入力した映像データを一定の長さのブロックに分割して複数台のＨＤＤ２１内のそのコマンドの示す空き領域に記録し、かつ、それらのＨＤＤ２１の互いに対応するデータブロックの排他的論理和であるパリティデータを生成して別の１台のＨＤＤ２１内のそのコマンドの示す空き領域に書き込む。またディスクアレイコントローラ２２は、後述の読出し指示のコマンドに基づき、各ＨＤＤ２１内のそのコマンドの示す領域から映像データ及びパリティデータを読み出し、それらの映像データを単一化された後パリティデータを用いてエラー訂正することにより映像データを再生する。
【００５３】
他方、ディスクアレイコントローラ２４は、例えばＲＡＩＤ−１を採用したものであり、ＡＶデータに付加された書込み指示のコマンドに基づき、入力した音声データを、２台のＨＤＤ２３内のそのコマンドの示す空き領域にそれぞれ書き込む。またディスクアレイコントローラ２４は、後述の読出し指示のコマンドに基づき、２台のＨＤＤ２３（１台のＨＤＤ２３に障害がある場合には残りの１台のＨＤＤ２３）内のそのコマンドの示す領域から音声データを再生する。
【００５４】
バッファメモリ２５は、入力ポート９から下りバス１７を介して記録再生部１３に転送されたＡＶデータを一時的に記憶する役割を持っており、バッファメモリ２５から読み出されたＡＶデータのうち、映像データがディスクアレイコントローラ２２に入力され、音声データがディスクアレイコントローラ２４に入力される。またバッファメモリ２５は、ディスクアレイコントローラ２２及び２４で再生されたＡＶデータを一時的に記憶する役割を持っており、バッファメモリ２５から読み出されたＡＶデータが、上りバス１８を介して出力ポート１０，１１，１２に転送される。なお、前者の役割を持つバッファメモリと後者の役割を持つバッファメモリとを別々に設けてもよい。
【００５５】
入力ポート９から下りバス１７を介して記録再生部１３に転送されたＡＶデータは、このバッファメモリ２５を経て、ディスクアレイコントローラ２２，２４により、ＨＤＤ２１，２３のＨＤ上の、そのＡＶデータに付加されたコマンドの示す空き領域に記録される。
【００５６】
図１に示すように、出力ポート１０は、バッファメモリ１０Ａと、復号器１０Ｂと、ミキシング回路１０Ｃと、制御器１０Ｄとから成っている。出力ポート１１，１２も、出力ポート１０と同一構成のものであり、それぞれバッファメモリ１１Ａ，１２Ａと、復号器１１Ｂ，１２Ｂと、ミキシング回路１１Ｃ，１２Ｃと、制御器１１Ｄ，１２Ｄとから成っている。
【００５７】
各出力ポート１０，１１，１２の制御器１０Ｄ，１１Ｄ，１２Ｄにも、タイミング管理部７からタイムスロット信号が与えられるとともに、ＡＶサーバ１の外部から（例えばホストコンピュータから）、当該出力ポートの動作を指示する制御信号がそれぞれ入力端子Ｃ２，Ｃ３，Ｃ４を通して与えられる。
【００５８】
また、各出力ポート１０，１１，１２の動作時には、当該出力ポートから出力させるＡＶデータのファイル名を指定する制御信号が、ＡＶサーバ１０の外部から（例えばホストコンピュータから）入力端子Ｃ５を通して制御部１６に与えられる。この制御信号は、各出力ポート１０，１１，１２毎に異なるファイル名を指定する内容のときもあれば、全ての出力ポート１０，１１，１２について同じファイル名を時間をずらして指定する内容のときもある。
【００５９】
制御部１６では、この制御信号で指定されたファイル名に対応した記録再生部１３内の記録領域の情報が、ファイルシステム１５から取得される。そして、その記録領域を伝える信号が、制御器１６から制御バス１９を介して制御器１０Ｄ，１１Ｄ，１２Ｄに送られる。
【００６０】
各制御器１０Ｄ，１１Ｄ，１２Ｄは、それぞれ出力ポート１０，１１，１２全体を制御するものであり、例えばマイクロプロセッサから成っている。
各制御器１０Ｄ，１１Ｄ，１２Ｄは、動作の開始を指示する制御信号が与えられると、タイミング管理部７からのタイムスロット信号により出力ポート１０，１１，１２に割り当てられたタイムスロット内に、制御器１６から伝えられた記録領域からのＡＶデータの読出しを指示するコマンドをそれぞれバッファメモリ１０Ａ，１１Ａ，１２Ａ及び下りバス１７を介して記録再生部１３に送る。そして、そのコマンドに基づいて記録再生部１３で再生されたＡＶデータ（図２のディスクアレイコントローラ２２，２４によりＨＤＤ２１，２３から再生されてバッファメモリ２５に一時的に記憶されたＡＶデータ）を、出力ポート１０，１１，１２に割り当てられたタイムスロット内に、それぞれ上りバス１８を介して取り込んでバッファメモリ１０Ａ，１１Ａ，１２Ａに一時的に記憶させる。
【００６１】
また、各制御器１０Ｄ，１１Ｄ，１２Ｄはそれぞれバッファメモリ１０Ａ，１１Ａ，１２Ａに記憶させたＡＶデータを順次読み出していき、この読み出されたＡＶデータはそれぞれ復号器１０Ｂ，１１Ｂ，１２Ｂに送られる。
復号器１０Ｂ，１１Ｂ，１２Ｂは、それぞれ入力ポート９の圧縮器９Ａと同じ符号化方式でＡＶデータを伸長するものである。各復号器１０Ｂ，１１Ｂ，１２Ｂで伸長されたＡＶデータは、それぞれミキシング回路１０Ｃ，１１Ｃ，１２Ｃに送られるとともに、出力端子Ｄ２，Ｄ３，Ｄ４を通してＡＶサーバ１の外部に送出される。
【００６２】
ミキシング回路１０Ｃ，１１Ｃ，１２Ｃは、入力されたＡＶデータに、ＳＭＰＴＥタイムコードや、現在ＡＶデータを再生中であることを表すＰＢ（プレイバックの意味）の文字（すなわち動作モードを示す文字）等のキャラクター情報等をミキシングするものである。各出力ポート１０，１１，１２の制御器１０Ｄ，１１Ｄ，１２Ｄは、それぞれバッファメモリ１０Ａ，１１Ａ，１２ＡからのＡＶデータの読み出しの開始に対応して、ミキシング回路１０Ｃ，１１Ｃ，１２Ｃでのミキシングを開始させる。
ミキシング回路１０Ｃ，１１Ｃ，１２Ｃでモニター用情報を付加されたＡＶデータも、それぞれ出力ポート１０，１１，１２からモニター用出力部２に送られる。
【００６３】
このようにして、このＡＶサーバ１では、各入出力ポート９〜１２により４チャンネルでのＡＶデータの同時入出力が行われるとともに、各入出力ポート９〜１２でモニター用情報を付加されたＡＶデータが、全てモニター用出力部２に送られる。
【００６４】
モニター用出力部２は、４入力１出力のマルチプレクサ（セレクタ）３と、ビデオスプリット回路４と、２入力１出力のマルチプレクサ（セレクタ）５と、制御器６とから成っている。
各入出力ポート９〜１２からのモニター用情報を付加したＡＶデータは、マルチプレクサ３のそれぞれ別々の入力端に入力されるとともに、ビデオスプリット回路４に入力される。
【００６５】
ビデオスプリット回路４は、全てのミキシング回路９Ｃ〜１２ＣからのＡＶデータをモニターの１画面に分割して表示させるために、それらのミキシング回路からのＡＶデータを、各フレーム毎に１／４に縮小（間引き）して１フレーム分のＡＶデータにまとめる処理や、ミキシング回路９Ｃ〜１２Ｃのうちのいずれか２つからのＡＶデータをモニターの１画面に分割して表示させるために、それらの２つのミキシング回路からのＡＶデータを、各フレーム毎に１／２に縮小（間引き）して１フレーム分のＡＶデータにまとめる処理を行うものである。
このビデオスプリット回路４の構成及び処理は、テレビジョンにマルチ画面を表示させるための回路の構成及び処理と同様であってよい。
【００６６】
マルチプレクサ３から出力されたＡＶデータは、マルチプレクサ５の一方の入力端に入力され、ビデオスプリット回路４から出力されたＡＶデータは、マルチプレクサ５の他方の入力端に入力される。
マルチプレクサ５から出力されたＡＶデータは、このモニター出力端子Ｍを通してＡＶサーバ１の外部に出力される。
このＡＶサーバ１の設置場所（例えば放送局内）には、このモニター出力端子Ｍを通してＡＶサーバ１から出力されたＡＶデータを表示するための１台のモニター３１が設置されている。
【００６７】
制御器６は、モニター用出力部２全体を制御するものであり、例えばマイクロプロセッサから成っている。
ＡＶサーバ１のパネル上の操作スイッチ７は、ユーザーが、入出力ポート９〜１２のうちのいずれか１つ，２つまたは全てを任意に指定するためのスイッチである。ユーザーが操作スイッチ７を操作して入出力ポート９〜１２のうちの１つ，２つまたは全てを指定すると、その指定結果を示す信号が、制御部１６に与えられる。そして、その指定結果を伝える信号が、制御器１６から制御バス１９を介してモニター用出力部２の制御器６に与えられる。
【００６８】
また、操作スイッチ７が操作されなくても、１つ，２つまたは全ての入出力ポートを指定する制御信号がＡＶサーバ１の外部（例えばホストコンピュータ）から入力端子Ｃ５を通して制御部１６に与えられると、やはり、その指定結果を伝える信号が、制御器１６から制御バス１９を介して制御器６に与えられる。
【００６９】
制御器１６から与えられた信号が、入出力ポート９〜１２のうちの１つが指定されたことを伝えるものであった場合には、制御器６は、マルチプレクサ３に、当該１つのポートからのＡＶデータを選択させ、かつ、マルチプレクサ５に、マルチプレクサ３の出力データを選択させる。
これにより、当該１つのポートからのモニター用情報を付加したＡＶデータが、モニター出力端子Ｍを通してＡＶサーバ１から出力されて、モニター３１に表示される。
【００７０】
図３Ａは、この１つのポートとして入力ポート９，出力ポート１０，出力ポート１１，入力ポート１２がそれぞれ指定された場合のモニター３１の表示例を示すものである（同図のポート１，２，３，４は、入力ポート９，出力ポート１０，１１，１２のポート番号をそれぞれ表している）。
この図にも示されているように、この場合には、操作スイッチ７の操作やホストコンピュータ等の操作に基づき、入出力ポート９〜１２のうちの任意の１つで現在入力または出力されているＡＶデータを、随時モニター３１の画面全体に表示させて確認することができる。また、各入出力ポート９〜１２で現在入力または出力されているＡＶデータを、ポートを１つずつ切り替えてモニター３１に順番に表示させて確認することもできる。
【００７１】
制御器１６から与えられた信号が、入出力ポート９〜１２のうちの全てが指定されたことを伝えるものであった場合には、制御器６は、ビデオスプリット回路４に、全ての入出力ポート９〜１２からのＡＶデータをモニターの１画面に分割して表示させるための処理を行わせ、かつ、マルチプレクサ５に、ビデオスプリット回路４の出力データを選択させる。
これにより、全ての入出力ポート９〜１２からのモニター用情報を付加したＡＶデータが、モニターの１画面に分割して表示されるデータとしてモニター出力端子Ｍを通してＡＶサーバ１から出力されて、モニター３１に表示される。
【００７２】
図３Ｂは、このように全ての入出力ポート９〜１２が指定された場合のモニター３１の表示例を、同図Ａの例と対応させて示すものである。
この図にも示されているように、この場合には、操作スイッチ７の操作やホストコンピュータ等の操作に基づき、全ての入出力ポート９〜１２で現在入出力されているＡＶデータを、モニター３１の１画面に同時に表示させて確認することができる。
【００７３】
他方、制御器１６から与えられた信号が、入出力ポート９〜１２のうちの２つが指定されたことを伝えるものであった場合には、制御器６は、ビデオスプリット回路４に、当該２つのポートからのＡＶデータをモニターの１画面に分割して表示させるための処理を行わせ、かつ、マルチプレクサ５に、ビデオスプリット回路４の出力データを選択させる。
これにより、当該２つのポートからのモニター用情報を付加したＡＶデータが、モニターの１画面に分割して表示されるデータとしてモニター出力端子Ｍを通してＡＶサーバ１から出力されて、モニター３１に表示される。
【００７４】
図３Ｃは、この２つのポートとして入力ポート９及び出力ポート１０が指定された場合のモニター３１の表示例を、同図Ａの例と対応させて示すものである。この図にも示されているように、この場合には、操作スイッチ７の操作やホストコンピュータ等の操作に基づき、入出力ポート９〜１２のうちの任意の２つで現在入力または出力されているＡＶデータを、モニター３１の１画面に同時に表示させて確認することができる。また、各入出力ポート９〜１２で現在入力または出力されているＡＶデータを、ポートを１つまたは２つずつ切り替えてモニター３１に順番に表示させて確認することもできる。
【００７５】
以上のように、このＡＶサーバ１によれば、各入出力ポート９〜１２で現在入出力されているＡＶデータ（すなわちＡＶサーバ１で現在記録・再生されている複数のＡＶデータ）が、モニター用情報を付加された後、モニター用出力部２から、モニターの１画面に表示される１系統のＡＶデータとして出力される。そして、このモニター用出力部２から出力されたＡＶデータが、ＡＶサーバ１のパネル上の１つのモニター出力端子Ｍを通してＡＶサーバ１の外部に出力されて、１台のモニター３１に表示される。
【００７６】
このように、全ての入出力ポートからのモニター用情報を付加したＡＶデータが、モニターの１画面に表示される１系統のデータとして、１つのモニター出力端子を通してＡＶサーバの外部に出力されるので、ＡＶサーバのパネル上に多数のモニター出力端子を配置することによるＡＶサーバ自体の大型化が防止されている。
また、各入出力ポートで現在入出力されているＡＶデータを、１台のモニターだけで随時確認することができるので、放送局内等で多数のモニターが大きなスペースを占めてしまう事態も防止されている。
【００７７】
なお、以上の例では、ミキシング回路９Ｃ〜１２Ｃで付加されるモニター用情報の例として、タイムコードと、動作モードを示すキャラクター情報とのみを挙げている。
しかし、それ以外に、各入出力ポート９〜１２のポート番号（例えば図３Ａに示したようなポート１，２，３，４という番号）を、ミキシング回路９Ｃ〜１２Ｃでそれぞれモニター用情報として付加するようにしてもよい。
あるいはまた、各ミキシング回路９Ｃ〜１２Ｃで、ファイルシステム１５で管理されているファイル名の一覧のような、記録再生部１３に記録されているＡＶデータに関する情報をモニター用情報として付加するようにしてもよい。
【００７８】
また、以上の例では、モニター用出力部２に、ミキシング回路９Ｃ〜１２Ｃのうちのいずれか１つからのＡＶデータを選択するマルチプレクサ３と、ミキシング回路９Ｃ〜１２Ｃのうちのいずれか２つまたは全てからのＡＶデータをモニターの１画面に分割して表示させるための処理を行うビデオスプリット回路４との両方を設けている。
しかし、このマルチプレクサ３とビデオスプリット回路４とのいずれか一方だけをモニター用出力部２に設け、その出力データをモニター出力端子Ｍを通してＡＶサーバ１の外部に出力させるようにしてもよい。
【００７９】
また、以上の例では、全ての入出力ポート９〜１２からのモニター用情報を付加したＡＶデータが入力される１つのモニター用出力部２と、モニター用出力部２から出力されたＡＶデータをＡＶサーバ１の外部に出力するための１つのモニター出力端子Ｍを設けている。
しかし、これに限らず、例えば、入出力ポート９〜１２のうちのいずれか１つまたは２つからのモニター用情報を付加したＡＶデータが入力されるモニター用出力部と、入出力ポート９〜１２のうちの残りの３つまたは２つからのモニター用情報を付加したＡＶデータが入力されるモニター用出力部とを別々に設け、この２つのモニター用出力部から出力されたＡＶデータをそれぞれＡＶサーバ１の外部に出力するための２つのモニター出力端子を設けるようにしてもよい。
その場合にも、やはり、入出力ポート９〜１２の数よりも少ない数のモニター出力端子を通して、各入出力ポート９〜１２からのモニター用情報を付加したＡＶデータをＡＶサーバ１の外部に出力することができる。
【００８０】
また、本発明は、図１に示した構成のＡＶサーバに限らず、適宜の種類のＡＶサーバに適用してよいことはもちろんである。
例えば、２，３または５以上の入出力ポートを有するＡＶサーバに本発明を適用してもよい。
また例えば、ＭＰＥＧ以外の符号化方式でＡＶデータを圧縮・伸長するＡＶサーバに本発明を適用してもよい。
また例えば、１つのポートが入力ポートとしての機能と出力ポートとしての機能とを併有するＡＶサーバに本発明を適用してもよい。
また例えば、ＲＡＩＤ技術を用いないＨＤＤにＡＶデータを記録するＡＶサーバや、ＨＤ以外のノンリニアアクセス可能な記録媒体（例えば半導体メモリや光ディスク）にＡＶデータを記録するＡＶサーバに本発明を適用してもよい。
また例えば、ＡＶデータを記録・再生する機能に加えてＡＶデータを編集する機能を備えたＡＶサーバに本発明を適用してもよい。
【００８１】
また、本発明は、ＡＶサーバ以外の、複数の入出力ポートを有する適宜の種類のデータ記録再生装置にも適用してよい。
また、本発明は、以上の例に限らず、本発明の要旨を逸脱することなく、その他様々の構成をとりうることはもちろんである。
【００８２】
【発明の効果】
以上のように、本発明に係る請求項１に記載のデータ記録再生装置によれば、入力部及び出力部のうちのいずれか１つを指定した場合、その指定した１つの入力部または出力部からのモニター用情報を付加したデータが１つのモニター出力端子から出力されるので、その１つの入力部または出力部についてのモニター用情報を付加したデータをモニターの画面全体に表示させて確認することができる。他方、入力部及び出力部のうちのいずれか２つを指定した場合、その指定した２つの入力部及び／または出力部からのモニター用情報を付加したデータが、１画面に分割表示させる処理を行われて１つのモニター出力端子から出力されるので、その２つの入力部及び／または出力部についてのモニター用情報を付加したデータをモニターの１画面に同時に表示させて確認することができる。また、任意の２つの入力部及び／または出力部についてのモニター用情報を付加したデータを、順番に切り替えてモニターに表示させて確認することもできる。他方、入力部及び出力部の全てを指定した場合、全ての入力部及び出力部からのモニター用情報を付加したデータが１つのモニター出力端子から出力されるので、全ての入力部及び出力部についてのモニター用情報を付加したデータをモニターの１画面に同時に表示させて確認することができる。
このように、各入力部及び出力部についてのモニター用情報を付加したデータを、モニターの１画面に表示される１系統のデータとしてデータ記録再生装置の外部に出力することができるので、入力部及び出力部の数と同じ数のモニター出力端子をこのデータ記録再生装置に設けなくても、各入力部及び出力部で現在入出力されているデータをモニターで随時確認することができるようになるという効果が得られる。
【００８５】
また、データ記録再生装置のパネル上に多数のモニター出力端子を配置することによるデータ記録再生装置自体の大型化を防止できるという効果や、多数のモニターを設置することによりモニターが大きなスペースを占めてしまう事態を防止できるという効果が得られる。
【００８６】
次に、本発明に係る請求項７に記載のモニター用情報を付加したデータの出力方法によれば、請求項１に記載のデータ記録再生装置におけるのと同様に、入力部，出力部のうちのいずれか１つを指定した場合、その指定した１つの入力部または出力部からのモニター用情報を付加したデータが１つのモニター出力端子から出力されるので、その１つの入力部または出力部についてのモニター用情報を付加したデータをモニターの画面全体に表示させて確認することができる。他方、入力部及び出力部のうちのいずれか２つを指定した場合、その指定した２つの入力部及び／または出力部からのモニター用情報を付加したデータが、１画面に分割表示させる処理を行われて１つのモニター出力端子から出力されるので、その２つの入力部及び／または出力部についてのモニター用情報を付加したデータをモニターの１画面に同時に表示させて確認することができる。また、任意の２つの入力部及び／または出力部についてのモニター用情報を付加したデータを、順番に切り替えてモニターに表示させて確認することもできる。他方、入力部及び出力部の全てを指定した場合、全ての入力部及び出力部からのモニター用情報を付加したデータが１つのモニター出力端子から出力されるので、全ての入力部及び出力部についてのモニター用情報を付加したデータをモニターの１画面に同時に表示させて確認することができる。
このように、各入力部及び出力部についてのモニター用情報を付加したデータを、モニターの１画面に表示される１系統のデータとしてデータ記録再生装置の外部に出力することができるので、入力部及び出力部の数と同じ数のモニター出力端子をこのデータ記録再生装置に設けなくても、各入力部及び出力部で現在入出力されているデータをモニターで随時確認することができるようになるという効果が得られる。
【００８９】
また、データ記録再生装置のパネル上に多数のモニター出力端子を配置することによるデータ記録再生装置自体の大型化を防止できるという効果や、多数のモニターを設置することによりモニターが大きなスペースを占めてしまう事態を防止できるという効果が得られる。
【図面の簡単な説明】
【図１】本発明を適用したＡＶサーバの構成例を示すブロック図である。
【図２】図１の記録再生部の構成例を示すブロック図である。
【図３】図１のモニターの表示画面の例を示す図である。
【図４】従来のＡＶサーバからモニター用情報を付加したＡＶデータが出力される様子を示す図である。
【符号の説明】
１，４１  ＡＶサーバ、  ２  モニター用出力部、  ３，５  マルチプレクサ、  ４  ビデオスプリット回路、  ６，９Ｄ，１０Ｄ，１１Ｄ，１２Ｄ，１６，４８，４７  制御器、  ７  操作スイッチ、  ９，４２  入力ポート、  １０，１１，１２，４３，４４，４５  出力ポート、  ９Ａ  圧縮器、  ９Ｂ，１０Ａ，１１Ａ，１２Ａ，２５  バッファメモリ、  １０Ｂ，１１Ｂ，１２Ｂ  復号器、  ９Ｃ，１０Ｃ，１１Ｃ，１２Ｃ  ミキシング回路、  １３，４６  記録再生部、  １４  タイミング管理部、  １５  ファイルシステム、  １７，４８  下りバス、  １８，４９  上りバス、  １９，５０  制御バス、  ２１，２３  ＨＤＤ、  ２２，２４  ディスクアレイコントローラ、  ３１，５１，５２，５３，５４  モニター，  Ｍ，Ｍ１，Ｍ２，Ｍ３，Ｍ４  モニター出力端子
【図１】
0004244431.tif 000002
【図２】
0004244431.tif 000003
【図３】
0004244431.tif 000004
【図４】
0004244431.tif 000005